(57)【要約】【課題】ヒストリーモードへの遷移とヒストリー機能の内容をオペレータに明確に認識させることができ、簡単にヒストリー機能を利用できる波形表示装置を実現すること。【解決手段】波形画面単位で波形データを格納する複数の波形データ格納領域が設けられたヒストリメモリに、測定された複数画面分の波形データを逐次格納するように構成されたヒストリー機能を有する波形表示装置において、表示画面上には、ヒストリーモードに遷移すると、前記ヒストリメモリに格納されている波形データを読み出すための操作手段が選択的に表示されることを特徴とするもの。【選択図】                    図１
2011153835.tif 000002
【特許請求の範囲】
【請求項１】
波形画面単位で波形データを格納する複数の波形データ格納領域が設けられたヒストリメモリに、測定された複数画面分の波形データを逐次格納するように構成されたヒストリー機能を有する波形表示装置において、
表示画面上には、ヒストリーモードに遷移すると、前記ヒストリメモリに格納されている波形データを読み出すための操作手段が選択的に表示されることを特徴とする波形表示装置。
【請求項２】
前記操作手段は、タッチキーであることを特徴とする請求項１に記載の波形表示装置。
【請求項３】
前記操作手段は、ポインタ（カーソル）を移動させて所望の画像をクリックする手段であることを特徴とする請求項１に記載の波形表示装置。
【請求項４】
前記操作手段は、前記ヒストリメモリに格納されている波形データに基づくサムネール画面であることを特徴とする請求項１から請求項３のいずれかに記載の波形表示装置。
【発明の詳細な説明】
【技術分野】
【０００１】
本発明は、波形表示装置に関し、詳しくは、異常波形の特定が容易に行える波形表示装置に関するものである。
【０００２】
波形表示装置の一種であるデジタルオシロスコープには、特許文献１に記載されているように、波形画面単位で波形データを格納するための複数の格納領域が分割されているヒストリメモリが設けられていて、このヒストリメモリに測定された複数画面分の波形データを逐次格納するように構成されたものがある。
【０００３】
たとえば回路などの解析を行う場合には、このヒストリメモリに格納されている波形データを呼び出して波形表示領域上に測定波形を表示させ、異常測定波形を見つけ出すことが行われている。
【０００４】
図８は、従来の波形表示装置の一例を示すブロック図である。図８において、測定部１は、入力信号を所定のトリガにより取り込み、デジタルデータ、つまり、波形データに変換する。ヒストリメモリ２は、測定部１から変換出力される複数画面分の波形データを逐次格納する。表示部４は、操作パネル部３に設けられている選択キーによりヒストリメモリ２から選択的に読み出された波形データに基づく測定波形を波形表示領域に表示する。ＣＰＵ５は、バスＢを介して各部と相互に接続されていて、これら所定の処理が実行されるように各部を統括制御する。
【０００５】
図９は、図８に示した装置の表示画面例図である。表示部４には、波形表示領域４１とメニュー表示領域４２が設けられている。表示部４の右側には、操作パネル部３が設けられている。操作パネル部３には多数の操作キーが設けられているが、図９では、本発明に関連する波形データ取り込みの開始と終了を指示するラン/ストップキー３１と、波形データを読み出すヒストリーモードに設定するためのヒストリーキー３２と、波形データを選択するためのロータリーノブ３３を示している。なお、ヒストリーキー３２は、ランプ内蔵スイッチが用いられている。
【０００６】
このような構成において、表示部４の波形表示領域４１に波形が表示されていない初期状態でオペレータがラン/ストップキー３１を押すことによりラン/ストップキー３１が点灯して測定部１から変換出力される波形データのヒストリメモリ２への取り込みが開始されるとともに、表示部４の波形表示領域４１にはヒストリメモリ２に取り込まれる波形データに基づく波形が表示される。
【０００７】
オペレータは、波形表示領域４１に表示される波形を監視している。そして、異常波形が表示されたことを確認すると、再度ラン/ストップキー３１を押してヒストリメモリ２への波形データの取り込みを停止させる。これに伴い、ラン/ストップキー３１は消灯してヒストリーキー３２のランプが点灯する。これにより、オペレータは、ヒストリーキー３２のランプの点灯により、ヒストリーモードが選択可能状態にあることを認識できる。
【０００８】
オペレータがヒストリーキー３２のランプ点灯を確認してヒストリーキー３２を押すことにより、装置はヒストリーモードに遷移する。
【０００９】
図１０は、図９の装置がヒストリーモードに遷移した状態での表示画面例図である。ヒストリーモードに遷移すると、メニュー表示領域４２にはヒストリメニューが表示される。オペレータは、ロータリーノブ３３を回してヒストリメモリ２に取り込まれているヒストリ波形データを過去に遡って読み出して波形表示領域４１に表示させながら閲覧することができ、異常波形を再表示できる。
【先行技術文献】
【特許文献】
【００１０】
【特許文献１】特開２０００−３０４７７４号公報
【発明の概要】
【発明が解決しようとする課題】
【００１１】
特許文献１には、複数の波形データの縮小波形をサムネール表示することにより、異常波形の特定が容易に行えるようにした波形表示装置について記載されている。
【００１２】
ヒストリモード機能は、デジタルオシロスコープの特徴を生かしたすぐれた機能であるが、その機能が実装されていることを認識把握していないオペレータが多い。前述図７のように、ヒストリメモリ２にヒストリ波形が存在するときはヒストリーキー３２を点灯させてヒストリー波形の存在を明示するようにしているが、ヒストリー機能を知らないオペレータをヒストリー機能に誘導する動機としては弱い。
【００１３】
また、操作パネル部３にはＬＥＤなどのランプが点灯するキーは他にもたくさんあるので、ヒストリーキー３２の点灯に気がつかないかもしれないし、仮に気がついたとしても「ヒストリー」という言葉だけでその機能の具体的な内容を想像できるかどうかは疑問である。
【００１４】
本発明は、このような問題点を解決するものであり、その目的は、ヒストリーモードへの遷移とヒストリー機能の内容をオペレータに明確に認識させることができ、簡単にヒストリー機能を利用できる波形表示装置を実現することにある。
【課題を解決するための手段】
【００１５】
上記目的を達成するために、本発明のうち請求項１に記載の発明は、
波形画面単位で波形データを格納する複数の波形データ格納領域が設けられたヒストリメモリに、測定された複数画面分の波形データを逐次格納するように構成されたヒストリー機能を有する波形表示装置において、
表示画面上には、ヒストリーモードに遷移すると、前記ヒストリメモリに格納されている波形データを読み出すための操作手段が選択的に表示されることを特徴とする。
【００１６】
請求項２記載の発明は、請求項１に記載の波形表示装置において、
前記操作手段は、タッチキーであることを特徴とする。
【００１７】
請求項３記載の発明は、請求項１に記載の波形表示装置において、
前記操作手段は、ポインタ（カーソル）を移動させて所望の画像をクリックする手段であることを特徴とする。
【００１８】
請求項４記載の発明は、請求項１から請求項３のいずれかに記載の波形表示装置において、
前記操作手段は、前記ヒストリメモリに格納されている波形データに基づくサムネール画面であることを特徴とする。
【発明の効果】
【００１９】
本発明によれば、ヒストリー機能が実装された波形表示装置において、ヒストリーモードへの遷移とヒストリー機能の内容をオペレータに明確に認識させることができ、簡単にヒストリー機能を利用できる。
【図面の簡単な説明】
【００２０】
【図１】本発明に基づく装置の具体例の表示画面例図である。
【図２】図１の操作状態説明図である。
【図３】本発明に基づく装置の他の具体例の表示画面例図である。
【図４】図３の動作状態説明図である。
【図５】図３の動作状態説明図である。
【図６】本発明に基づく装置の他の具体例の表示画面例図である。
【図７】本発明に基づく装置の他の具体例の表示画面例図である。
【図８】従来の波形表示装置の一例を示すブロック図である。
【図９】図８に示した装置の表示画面例図である。
【図１０】図９の装置がヒストリーモードに遷移した状態での表示画面例図である。
【発明を実施するための最良の形態】
【００２１】
以下、図面を参照して、本発明を詳細に説明する。図１は本発明に基づく装置の具体例の表示画面例図であり、図９と共通する部分には同一の符号を付けている。図１と図９との相違点は、操作パネル部３には波形データ取り込みの開始と終了を指示するラン/ストップキー３１のみが設けられていて、波形データを読み出すヒストリーモードに設定するためのヒストリーキー３２と波形データを選択するためのロータリーノブ３３は削除されていることと、表示部４の波形表示領域４１の右下にはヒストリーモードに遷移すると選択的に表示されるヒストリーモード操作表示部４３が設けられていることである。
【００２２】
ヒストリーモード操作表示部４３には、ヒストリー波形データ閲覧用の矢印ボタン４３ａ，４３ｂと、現在表示しているヒストリ波形データの波形画面番号と格納されている波形画面の総数を表示するヒストリー波形データ属性表示部４３ｃが設けられている。ここで、少なくともヒストリー波形データ閲覧用の矢印ボタン４３ａ，４３ｂは、タッチキーであることが望ましい。
【００２３】
図１において、表示部４の波形表示領域４１に波形が表示されていない初期状態でオペレータがラン/ストップキー３１を押すことによりラン/ストップキー３１が点灯して測定部１から変換出力される波形データのヒストリメモリ２への取り込みが開始されるとともに、表示部４の波形表示領域４１にはヒストリメモリ２に取り込まれる波形データに基づく波形が表示される。ここまでの動作は、従来構成と同様である。
【００２４】
オペレータは、波形表示領域４１に表示される波形を監視している。そして、異常波形が表示されたことを確認すると、再度ラン/ストップキー３１を押してヒストリメモリ２への波形データの取り込みを停止させる。これに伴い、ラン/ストップキー３１は消灯するとともに、波形表示領域４１の右下には図１に示すようなヒストリーモード操作表示部４３が表示される。
【００２５】
このヒストリーモード操作表示部４３が表示されることにより、オペレータは装置がヒストリーモードに遷移したことを明確に認識できる。図１のヒストリーモード操作表示部４３に設けられているヒストリー波形データ属性表示部４３ｃは、現在表示しているヒストリ波形データの波形画面番号が「６０」で、格納されている波形画面の総数が「６０」であることを示している。
【００２６】
オペレータは、ヒストリーモード操作表示部４３に設けられているヒストリー波形データ閲覧用の矢印ボタン４３ａまたは４３ｂを操作して波形表示領域４１に表示される波形画面を切り換え、異常波形を再表示させる。図２は、ヒストリー波形データ閲覧用の矢印ボタン４３ａを押して現在の波形画面番号「６０」から過去に向かって遡っていき、異常波形ＡＷを含む波形画面番号「２４」を再表示させた状態を示している。
【００２７】
図３は本発明に基づく装置の他の具体例の表示画面例図であり、図１と共通する部分には同一の符号を付けている。図３と図１との相違点は、図１においてヒストリーモードに遷移すると選択的に表示されるヒストリーモード操作表示部４３に代えて、図３ではメニュー表示領域４２に破線で示すようにヒストリメモリ２に取り込まれているヒストリ波形データに基づく動画風のサムネール画面４２ａを矢印マークＡＲＷを付加して表示させることである。このサムネール画面４２ａもタッチキーであることが望ましい。
【００２８】
図３においてこのサムネール画面４２ａの一部にタッチすると、図４に示すように波形表示領域４１の下部領域４４にヒストリーモード操作部４５が選択的に表示され、ヒストリー波形データの再生が開始される。このヒストリーモード操作部４５もタッチキーであることが望ましい。
【００２９】
図４のヒストリーモード操作部４５には、ヒストリメモリ２から読み出されて現在波形表示領域４１に再生表示されているヒストリ波形データの波形画面番号をヒストリメモリ２に格納されている波形画面の総数に対する比率としてバーグラフ状に表示するインジケータ４５ａと、再生停止ボタン部４５ｂと、速度制御ボタン４５ｃと、ヒストリー波形データ閲覧用の矢印ボタン４５ｄ，４５ｅと、現在表示しているヒストリ波形データの波形画面番号と格納されている波形画面の総数を表示するヒストリー波形データ属性表示部４５ｆが設けられている。
【００３０】
図５は、異常波形ＡＷを再表示したところで、再生停止ボタン部４５ｂのポーズボタンを押して再生を停止させた状態を示している。
【００３１】
これらの実施例から明らかなように、オペレータは、装置の動作モードがヒストリーモードに遷移したことを図１のヒストリーモード操作表示部４３や図３のサムネール画面４２ａが選択的に表示されることにより直感的に把握認識することができる。
【００３２】
この結果、従来の構成に比べて短時間で効率よく、より多くのオペレータが装置に実装されているヒストリー機能を理解して使用できるように、案内誘導できる。
【００３３】
図６は本発明に基づく装置の他の具体例の表示画面例図であり、図４と共通する部分には同一の符号を付けている。図６では、メニュー表示領域４２に、ファイル化されてヒストリメモリ２に取り込まれているヒストリ波形データに基づく動画風の５個のサムネール画面よりなる矢印マークＡＲＷが付加されたサムネール画面列４２ｂを表示させるとともに、上端および下端にはそれぞれ上スクロールキー４２ｃと下スクロールキー４２ｄを設けてこれらサムネール画面列４２ｂを上下の方向にスクロール表示させるように構成されている。
【００３４】
図６において、オペレータがサムネール画面列４２ｂの任意のサムネール画面の一部にタッチすることにより、表示部４の波形表示領域４１にその波形データをヒストリメモリ２から読み出して表示する。図６では、上から４番目のサムネール画面にタッチした例を示している。
【００３５】
なお、図６では、サムネール画面列４２ｂに対応するデータがヒストリメモリ２に取り込まれている例について説明しているが、これに限るものではなく、ＨＤ（ハードディスク）やＳＤカードなどのストレージ上に取り込まれているものであってもよい。
【００３６】
図７も本発明の他の実施例を示す表示画面例図であり、ファイルリストにおけるサムネール表示モードを示している。図７では、３個のサムネール静止画と、ファイル化されてヒストリメモリ２に取り込まれているヒストリ波形データに基づく動画風の３個のサムネール画面を矢印マークＡＲＷを付加して表示している。
【００３７】
図７において、オペレータがこれら任意の動画風のサムネール画面の一部にタッチしてスクロールバーＳＢを操作することにより、表示部４の波形表示領域４１にそのヒストリ波形データをヒストリメモリ２から読み出してスクロール表示する。
【００３８】
これに対し、静止画サムネール画面の一部にタッチすると動画風と同様にロードが実行されるが、これらに対応するファイルには波形が１個のみであることからリプレイは行われない。
【００３９】
なお、上記実施例では、画面操作にあたり、タッチパネルにタッチする例について説明したが、マウスでポインタ（カーソル）を移動させて所望の画像をクリックさせるようにしても同等の操作性を得ることができる。
【００４０】
以上説明したように、本発明によれば、ヒストリーモードへの遷移とヒストリー機能の内容をオペレータに明確に認識させることができ、簡単にヒストリー機能を利用できる波形表示装置が実現できる。
【符号の説明】
【００４１】
１  測定部
２  ヒストリメモリ
３  操作パネル部
３１  ラン/ストップキー
４  表示部
４１  波形表示領域
４２  メニュー表示領域
４３  ヒストリーモード操作表示部
４４  下部領域
４５  ヒストリーモード操作部
５  ＣＰＵ
【図１】
2011153835.tif 000003
【図２】
2011153835.tif 000004
【図３】
2011153835.tif 000005
【図４】
2011153835.tif 000006
【図５】
2011153835.tif 000007
【図６】
2011153835.tif 000008
【図７】
2011153835.tif 000009
【図８】
2011153835.tif 000010
【図９】
2011153835.tif 000011
【図１０】
2011153835.tif 000012